(57)【要約】【課題】  光源のＡＰＣ（Ａｕｔｏ  Ｐｏｗｅｒ  Ｃｏｎｔｒｏｌ）を行いつつ、起動直後の表示のちらつきを抑制することができる。【解決手段】  第１の制御部１００は、始動時に、異なる色の光Ｒ，Ｇ，Ｂを出射する光源１３（１３ｒ，１３ｇ，１３ｂ）に電力を供給するスイッチ手段４３０を強制的にオンさせて、光源１３を点灯させた後、光源１３が発した光Ｒ，Ｇ，Ｂの光強度ＳＦＢが、外部照度に基づいて設定される基準値ＳＡに近づくようにスイッチ手段４３０を自動的にオンまたはオフさせる。【選択図】図８
2017111165.tif 000002
【特許請求の範囲】
【請求項１】
異なる色光をそれぞれ出射する複数の光源と、  前記複数の光源毎に設けられ、前記光源に供給する電力をオンまたはオフするスイッチ手段と、  前記光源が発した色光の光強度を取得する光強度取得手段と、外部照度を示す情報を取得し、前記外部照度に基づいて基準値を設定する基準値設定手段と、を含み、前記光強度が前記基準値に近づくように前記スイッチ手段を自動的にオンまたはオフさせる光源駆動部と、を備える光源装置において、  前記光源駆動部は、前記光源装置の始動時に、前記スイッチ手段を強制的にオンさせた後、前記光強度が前記基準値に近づくように前記スイッチ手段を自動的にオンまたはオフさせる、ことを特徴とする光源装置。
【請求項２】
前記光源駆動部は、前記光源装置の始動時に、前記スイッチ手段を強制的にオンさせた後、前記スイッチ手段を強制的にオフさせ、その後、前記光強度が前記基準値に近づくように前記スイッチ手段を自動的にオンまたはオフさせる、ことを特徴とする請求項１に記載の光源装置。
【請求項３】
前記光源駆動部は、前記スイッチ手段を強制的にオフさせる期間を、前記スイッチ手段を強制的にオンさせる期間以上に設ける、ことを特徴とする請求項２に記載の光源装置。
【請求項４】
前記基準値設定手段は、前記光源駆動部が自動的に前記スイッチ手段をオンさせる程度に高い初期基準値に前記基準値を設定することで、前記スイッチ手段を強制的にオンさせる、ことを特徴とする請求項１乃至３のいずれかに記載の光源装置。
【請求項５】
前記基準値設定手段は、前記光源駆動部が自動的に前記スイッチ手段をオフさせる程度に低い低基準値に前記基準値を設定することで、前記スイッチ手段を強制的にオフさせる、ことを特徴とする請求項３または４に記載の光源装置。
【請求項６】
前記光源駆動部は、前記光源装置の始動時に、２以上の前記複数のスイッチ手段を強制的にオンさせる、ことを特徴とする請求項１乃至５のいずれかに記載の光源装置。
【請求項７】
請求項１乃至６のいずれかに記載の光源装置と、  前記光源装置から出射される前記光を変調することで視認者に向けて画像を生成する画像表示部と、を備えた表示装置において、  前記画像表示部は、前記光源装置の始動時に、強制的に点灯させた前記光源の前記色光を前記視認者に向けない、ことを特徴とする表示装置。
【請求項８】
前記画像表示部の駆動と同期をとり、前記光源装置が出射する前記色光を選択する第１の色選択手段と、をさらに備えた表示装置において、  前記光源駆動部は、前記光源装置の始動時に、前記第１の色選択手段とは異なる第２の色選択手段により選択された前記色光を出射する前記光源の前記スイッチ手段を強制的にオンさせた後、前記光強度が前記基準値に近づくように、前記第１の色選択手段により選択された前記色光を出射する前記光源の前記スイッチ手段を自動的にオンまたはオフさせる、ことを特徴とする請求項７に記載の表示装置。
【請求項９】
前記第１の色選択手段は、少なくとも一部にＦＰＧＡまたは／およびＡＳＩＣを含み、  前記第２の色選択手段は、前記第１の色選択手段より起動が速い、ことを特徴とする請求項８に記載の表示装置。
【請求項１０】
前記７乃至９のいずれかに記載の表示装置と、  前記表示装置が生成する画像を、前記視認者の前方に位置する透過反射部に向けて投射する投射部と、  を備える、ことを特徴とするヘッドアップディスプレイ装置。
【請求項１１】
外光が前記画像表示部に到達しにくい外光回避状態と、前記外光回避状態より前記外光が前記画像表示部に向かいやすい開放状態と、に遷移する外光回避手段をさらに設け、  前記光源駆動部は、前記外光回避手段が、前記外光回避状態から前記開放状態に遷移した後、前記スイッチ手段を強制的にオンさせ、前記光強度が前記基準値に近づくように前記スイッチ手段を自動的にオンまたはオフさせる、
ことを特徴とする請求項１０に記載のヘッドアップディスプレイ装置。
【発明の詳細な説明】
【技術分野】
【０００１】
本発明は、所望の光量の光を出射する光源装置、表示装置およびヘッドアップディスプレイ装置に関する。
【背景技術】
【０００２】
光源が出射する光量をモニタリングして光源の駆動電流値にフィードバックすることで、光源をＡＰＣ（Ａｕｔｏ  Ｐｏｗｅｒ  Ｃｏｎｔｒｏｌ）する光源装置が特許文献１に開示されている。このようなモニタリングした光量に応じて光源を駆動することで、所望の光量を光源から出射させることができ、この光源装置を用いた表示装置は、所定の画像を所望の輝度、所望の色で表示することが可能となる。
【先行技術文献】
【特許文献】
【０００３】
【特許文献１】特開２０１５−１３２６５８号公報
【発明の概要】
【発明が解決しようとする課題】
【０００４】
しかしながら、このような表示装置に、電源を投入した場合、図１２に示すように、光源の寄生容量の影響により、光源に所望の駆動電流値以上の電流Ｉａが流れてしまい、一瞬明るい画像が表示された後、これよりも暗い画像が表示され、画像がちらついて視認されてしまうという問題があった。
【０００５】
本発明は上記問題を鑑みてなされたものであり、ＡＰＣ制御を行いつつ、起動直後の表示のちらつきを抑制することができる光源装置または表示装置またはヘッドアップディスプレイ装置を提供することを目的とする。
【課題を解決するための手段】
【０００６】
上記目的を達成するため、本発明に係る光源装置は、異なる色光をそれぞれ出射する複数の光源と、前記複数の光源毎に設けられ、前記光源に供給する電力をオンまたはオフするスイッチ手段と、前記光源が発した色光の光強度を取得する光強度取得手段と、外部照度を示す情報を取得し、前記外部照度に基づいて基準値を設定する基準値設定手段と、を含み、前記光強度が前記基準値に近づくように前記スイッチ手段を自動的にオンまたはオフさせる光源駆動部と、を備える光源装置において、前記光源駆動部は、前記光源装置の始動時に、前記スイッチ手段を強制的にオンさせた後、前記光強度が前記基準値に近づくように前記スイッチ手段を自動的にオンまたはオフさせる、ものである。
【０００７】
また、本発明に係る表示装置は、前記光源装置と、前記光源装置から出射される前記光を変調することで視認者に向けて画像を生成する画像表示部と、を備えた表示装置において、前記画像表示部は、前記光源装置の始動時に、強制的に点灯させた前記光源の光を前記視認者に向けないものである。
【０００８】
また、本発明に係るヘッドアップディスプレイ装置は、前記表示装置と、前記表示装置が生成する画像を、前記視認者の前方に位置する透過反射部に向けて投射する投射部と、を備えるものである。
【発明の効果】
【０００９】
本発明によれば、ＡＰＣ制御を行いつつ、起動直後の表示のちらつきを抑制することができる。
【図面の簡単な説明】
【００１０】
【図１】本発明の実施形態におけるヘッドアップディスプレイ装置の構成を示す図である。
【図２】上記実施形態における光源部の構成を示す概略構成図である。
【図３】上記実施形態の光源駆動部における論理回路の構成を示す図である。
【図４】（ａ）〜（ｆ）は、第１サブフレーム処理における各種信号と駆動電流を説明するためのタイミングチャートである。
【図５】（ａ）〜（ｆ）は、第２サブフレーム処理における各種信号と駆動電流を説明するためのタイミングチャートである。
【図６】上記実施形態におけるＡＰＣ処理を説明するためのフローチャートである。
【図７】上記実施形態におけるサブフレーム処理を説明するためのフローチャートである。
【図８】上記実施形態における予備駆動処理を説明するためのタイミングチャートである。
【図９】本発明の変形例の光源駆動部を説明するための図である。
【図１０】本発明の変形例の光源駆動部を説明するための図である。
【図１１】本発明の変形例のヘッドアップディスプレイ装置の構成を示す図である。
【図１２】従来の表示装置における駆動電流を示すタイミングチャートである。
【発明を実施するための形態】
【００１１】
本発明の一実施形態に係る表示装置は、例えば、車両に搭載されるヘッドアップディスプレイ装置（以下、ＨＵＤ装置と記載）１に適用される。
【００１２】
ＨＵＤ装置１は、図１に示すように、画像表示部１０と、画像表示部１０が表示する画像Ｍからの表示光Ｎを、視認者２の視認方向に位置する透過反射部３に向ける投射部２０と、を備える。  なお、ＨＵＤ装置１（表示装置１０、光源装置１１）は、図２に示すように、第１の制御部１００と、第２の制御部２００と、給電手段３００と、駆動信号生成部４００と、光強度検出部５００と、から構成される後述する光源駆動部１４を備える。
【００１３】
画像表示部（表示装置）１０は、光源部（光源装置）１１と、画像表示部１２と、から構成され、光源部１１が出射する色光Ｃを出射し、この色光Ｃを空間光変調することで画像Ｍを生成する。画像表示部１２は、例えば、ＤＭＤ（Ｄｉｇｉｔａｌ  Ｍｉｃｒｏ−ｍＩｒｒｏｒ  Ｄｅｖｉｃｅ）やＬＣｏＳ（登録商標：Ｌｉｑｕｉｄ  Ｃｒｙｓｔａｌ  ｏｎ  Ｓｉｌｉｃｏｎ）などの反射型表示素子で構成される。また、光源部１１は、例えば、ＬＥＤ（Ｌｉｇｈｔ  Ｅｍｉｔｔｉｎｇ  Ｄｉｏｄｅ）などにより構成される。
【００１４】
光源部（光源装置）１１は、例えば、光源１３（赤色光Ｒを出射する光源１３ｒ，緑色光Ｇを出射する光源１３ｇ，青色光Ｂを出射する光源１３ｂ）と、これら光源１３ｒ，１３ｇ，１３ｂを駆動する光源駆動部１４と、を含む。光源１３の各々は、後述する光源駆動部１４によって駆動され、所定の光強度およびタイミングで発光する。なお、本実施形態において、光源１３は、独立した光源１３としているが、共通の光源１３から複数の色の光を出射するものであってもよい。また、光源１３は、複数色の光を出射するものであればよく、２色のみで構成されてもよく、また、４色（白色も含む）以上で構成されていてもよい。
【００１５】
透過膜５０１は、光源部１１から画像表示部１２に向かう色光Ｃの光路上に位置し、例えば５％程度の反射率を有する透過性部材からなり、光源部１１から出射された色光Ｃの大部分をそのまま透過させるが、一部の光を光強度検出部５００の方向へ反射させる。
【００１６】
光強度検出部（光強度取得手段）５００は、例えばフォトダイオードなどからなる受光素子であり、透過膜５０１で反射した色光Ｃを受ける位置に設けられている。光強度検出部５００は、色光Ｃの一部を受光し、光Ｒ、Ｇ、Ｂそれぞれの光強度を時分割で検出する。なお、光強度検出部５００は、光Ｒ、Ｇ、Ｂそれぞれの光強度を検出できればいいので、色光Ｃの光路ではなく、例えば、光軸が揃う前の光Ｒ、Ｇ、Ｂそれぞれの光強度を検出できる位置に設けられていてもよい。
【００１７】
画像表示部１２は、例えば、可動式の複数のマイクロミラーを有するＤＭＤからなり、各ミラーがオンとオフとのいずれかの状態で制御されることで、光源部１１から出射された色光Ｃを、適宜、図示しないスクリーンに反射し、前記スクリーン上に画像Ｍを表示する。  画像表示部１２は、具体的には、マイクロミラーの下部には電極が設けられており、この電極により各ミラーを非常に短い周期（例えばμsecのオーダー）で駆動することにより、各ミラーは、オン又はオフ状態となる。各ミラーは、ヒンジを支点に可動可能であり、ミラーがオン状態のときには鏡面がヒンジを支点に＋１２度傾斜し、ミラーがオフ状態のときには鏡面がヒンジを支点に−１２度傾斜する。オン状態のミラーは、光源部１１からの色光Ｃを前記スクリーンの方向に反射させ、オフ状態のミラーは、色光Ｃを前記スクリーンの方向に反射させない。なお、画像表示部１２は、上述したオンまたはオフ以外の状態も取り得る。
【００１８】
投射部２０は、画像表示部１０が表示した画像Ｍの表示光Ｎを、視認者２の視線方向に位置する透過反射部３に向ける。透過反射部３は、例えば、ＨＵＤ１が搭載されるフロントガラスの一部であり、ＨＵＤ１から出射された表示光Ｎを視認者２に向けて反射する。視認者２は、透過反射部３により反射された表示光Ｎにより、透過反射部３の奥側に画像表示部１０が表示した画像Ｍの虚像Ｖを視認する。なお、投射部２０は、画像Ｍを拡大する機能、画像Ｍの歪みを補正する機能、虚像Ｖが視認される視線方向における上下左右奥行き方向の位置を調整する機能、視認者２の視線が移動した場合でも視認される虚像Ｖの輝度が均一化されるように表示光Ｎを視認者２に向けて配光する機能などを有する。
【００１９】
次に、図２〜図８を参照して、本実施形態に係る光源駆動部１４について詳細に説明する。
【００２０】
（光源駆動部）  光源駆動部１４は、図２に示すように、第１の制御部１００と、第２の制御部２００と、給電手段３００と、駆動信号生成部４００と、光強度検出部５００と、を備える。これらは、例えば、ＨＵＤ１の光源部１１が実装された図示しない回路基板に実装されている。なお、光源駆動部１４の一部または全部は、光源１３が実装された前記回路基板とは異なる回路基板としてＨＵＤ１内に実装されてもよく、またＨＵＤ１外の回路基板に実装されていてもよい。
【００２１】
第１の制御部（基準値設定手段、第２の色選択手段）１００は、例えば、マイクロコントローラからなり、ＣＰＵ、メモリ（ＲＡＭ、ＲＯＭ）等を備える。ＣＰＵは、ＲＯＭに予め記憶されたＨＵＤ装置１の動作に必要なプログラムを読み出し、実行することで各部を制御する。第１の制御部１００には、車両の車両ＥＣＵ（Electronic Control Unit）４から、ＬＶＤＳ（Low Voltage Differential Signal）通信等によって、画像Ｍを表示するための映像信号が入力し、第２の制御部２００を介して画像表示部１２に所望の画像Ｍを表示させる。また、第１の制御部１００は、例えば、車両ＥＣＵ４から車両の周辺の照度を示す外部照度信号（外部光強度）ＳＬを入力し、これに基づき、光源１３の出力を調整することで、画像Ｍの輝度を調整する。  なお、第１の制御部１００から出力される映像信号は、図示しない画像処理ＩＣなどを経由して、第２の制御部２００に入力される。  また、車両ＥＣＵ４からの前記映像信号は、第１の制御部１００を経由せずに、後述する第２の制御部２００に、図示しない画像処理ＩＣなどを経由して、直接入力されてもよい。
【００２２】
第１の制御部１００は、光源１３を制御するために以下のように各部を制御する。（１）第１の制御部１００は、比較回路４１０の一方の入力端子へ基準信号ＳＡを出力する。この基準信号ＳＡは、光源１３の出力の設定値を示し、車両ＥＣＵ４から第１の制御部１００に入力された外部照度ＳＬに基づいて生成される。具体的に例えば、第１の制御部１００は、メモリから外部照度ＳＬと前記設定値とが対応したテーブルデータを参照し、取得した外部照度ＳＬに対応した前記設定値のデューティー比のパルス信号を出力し、このパルス信号が図示しない積分回路からなるアナログ変換器によりアナログ信号に変換され、この所定のレベルを有するアナログ信号が基準信号ＳＡとして比較回路４１０に出力される。なお、第１の制御部１００から出力される基準信号ＳＡを生成するためのパルス信号の周波数は３０ｋＨｚ以上であることが望ましい。  外部照度ＳＬに対応付けられた基準信号ＳＡの値の大きさは、光源１３が出射する色光Ｃの色毎に異なる。従って、第１の制御部１００は、異なる色光Ｃを出射するサブフレームＳＦ毎に比較回路４１０に対して出力する基準信号ＳＡの大きさを異ならせる。斯かる構成により、各色の光強度検出信号ＳＦＢを共通の比較回路４１０で処理した場合でも、光源１３が出射する各色光の光量を適切に調整することができる。（２）第１の制御部１００は、給電手段３００にバッテリーが接続されたかを判定し、給電手段３００にバッテリーが接続された場合、光源部１１、画像表示部１０の始動を開始させる。（３）第１の制御部１００は、第２の制御部２００を介し、論理回路４２０の入力端子へ制限信号ＳＣを出力する。制限信号ＳＣは、例えば、オン（Ｈｉｇｈ）を示す許可信号ＳＣ１と、オフ（Ｌｏｗ）示す禁止信号ＳＣ２と、からなる。制限信号ＳＣは、外部照度ＳＬのレベルに基づき、各サブフレームＳＦ内を占める許可信号ＳＣ１の割合Ｑを変化させる。具体的には、サブフレームＳＦ内を占める許可信号ＳＣ１の割合Ｑは、外部照度ＳＬのレベルが予め定めた閾値Ｐ以上である場合、１００％であり、外部照度ＳＬのレベルが閾値Ｐ未満である場合、外部照度ＳＬのレベルの低下に応じて漸減する。（４）さらに、第１の制御部１００は、外部照度ＳＬに応じて給電手段３００を制御し、光源１３に印加する電圧を設定する。（５）また、第１の制御部１００は、車両ＥＣＵ４から入力される外部照度ＳＬに応じて予め設定されたゲインを図示しない光強度検出部５００と比較回路４１０との間に設けられる増幅回路に出力する。
【００２３】
第２の制御部（第１の色選択手段）２００は、所望の機能をハードウェアで実現するＬＳＩ（Large Scale Integration）であり、例えば、ＡＳＩＣ（Application Specific Integrated Circuit）やＦＰＧＡ（Field Programmable Gate Array）などから構成されている。また、第２の制御部２００には図示しないメモリが接続されており、このメモリには、第１の制御部１００からの信号に応じた制限信号ＳＣを出力するためのデータや、第１の制御部１００からの照明制御データに応じて、画像表示部１２の駆動に同期して光源１３の発光タイミングを制御するイネーブル信号ＥＮ（Ｒ−ＥＮ，Ｇ−ＥＮ，Ｂ−ＥＮ）を制御するためのデータや、第１の制御部１００からの表示制御データに応じて画像表示部１２を制御するためのデータが格納されている。
【００２４】
給電手段３００は、電源ＩＣ（Integrated Circuit）、トランジスタを用いたスイッチング回路等からなり、第１の制御部１００の制御のもとで、車両のバッテリー（図示せず）からの電力を落とし、光源１３に適当な値の電圧を印加する。給電手段３００は、例えば、所定の調光値以上では、電圧を一定にし、所定の調光値未満では、所望の調光値に応じて、電圧を低下させる。給電手段３００は、後述する駆動信号生成部４００のＬＳＩ内に一体的に組み込まれてもよい。
【００２５】
駆動信号生成部４００は、所望の機能をハードウェアで実現するＬＳＩであり、例えば、第２の制御部２００とは独立したＡＳＩＣやＦＰＧＡから構成されている。駆動信号生成部４００は、比較回路４１０と、論理回路４２０と、スイッチ手段４３０と、を備え、光源１３が出射する色光Ｃ（青色光Ｂまたは緑色光Ｇまたは赤色光Ｒ）の光強度に基づく光強度検出信号（以下、光強度とも記す）ＳＦＢを光強度検出部５００から入力し、この光強度検出信号ＳＦＢから光源１３を駆動するための駆動信号ＳＤを生成し、この駆動信号ＳＤに基づき、スイッチ手段４３０がオン／オフ動作することで、光源１３を点灯／消灯させるものである。
【００２６】
比較回路４１０は、比較器（Comparator）からなり、光強度検出部５００から入力される光強度検出信号ＳＦＢと第１の制御部１００が出力した基準信号ＳＡとの比較を行い、比較結果として比較信号ＳＢを論理回路４２０へ出力する。なお、光強度検出部５００と比較回路４１０との間には、図示しない増幅回路が設けられており、光強度検出信号ＳＦＢは、この増幅回路により増幅された上で比較回路４１０に入力される。なお、この増幅回路は、上述したように、第１の制御部１００が、車両ＥＣＵ４から入力される外部照度ＳＬに応じてゲインを決定する。
【００２７】
論理回路４２０は、図３に示すように、第１ＡＮＤ回路４２１と、赤色ＡＮＤ回路４２２と、緑色ＡＮＤ回路４２３と、青色ＡＮＤ回路４２４とを備える。論理回路４２０は、第２の制御部２００からの制限信号ＳＣ，イネーブル信号ＥＮ（赤色イネーブル信号Ｒ−ＥＮ，緑色イネーブル信号Ｇ−ＥＮ，青色イネーブル信号Ｂ−ＥＮ）と、比較回路４１０からの比較信号ＳＢと、を入力し、これらＡＮＤ回路により、光源１３ｒを駆動する赤色駆動信号ＳＤＲ、または光源１３ｇを駆動する緑色駆動信号ＳＤＧ、または光源１３ｂを駆動する青色駆動信号ＳＤ
Ｂを、赤色スイッチ手段４３１，緑色スイッチ手段４３２，青色スイッチ手段４３３それぞれに出力するものである。
【００２８】
第１ＡＮＤ回路４２１は、第２の制御部２００からの制限信号ＳＣと比較回路４１０からの比較信号ＳＢとのＡＮＤ信号である駆動信号ＳＤを、各ＡＮＤ回路４２２，４２３，４２４に対して出力する。
【００２９】
赤色ＡＮＤ回路４２２は、第２の制御部２００からの赤色イネーブル信号Ｒ−ＥＮと第１ＡＮＤ回路４２１からの駆動信号ＳＤとのＡＮＤ信号である赤色駆動信号ＳＤＲを、赤色スイッチ手段４３１に出力する。また、緑色ＡＮＤ回路４２３も同様に、第２の制御部２００からの緑色イネーブル信号Ｇ−ＥＮと第１ＡＮＤ回路４２１からの駆動信号ＳＤとのＡＮＤ信号である緑色駆動信号ＳＤＧを、緑色スイッチ手段４３２に出力し、青色ＡＮＤ回路４２４も同様に、第２の制御部２００からの緑色イネーブル信号Ｇ−ＥＮと第１ＡＮＤ回路４２１からの駆動信号ＳＤとのＡＮＤ信号である緑色駆動信号ＳＤＧを、緑色スイッチ手段４３２する。
【００３０】
スイッチ手段４３０は、例えば、ｎ型チャネルまたはｐ型チャネルのＦＥＴ（Field Effect Transistor）を用いたスイッチング回路からなる。スイッチ手段４３０は、論理回路４２０からの出力に応じてオンまたはオフの動作を行う。  スイッチ手段４３０、例えば、図２に示すように、光源１３ｒのカソード側に接続される赤色スイッチ手段４３１、光源１３ｇのカソード側に接続される緑色スイッチ手段４３２、光源１３ｂのカソード側に接続される青色スイッチ手段４３３を有する。光源１３ｒに対応する赤色スイッチ手段４３１は、赤色ＡＮＤ回路４２２の出力がオン（Ｈｉｇｈ）を示すときにオン状態となり、これにより、光源１３ｒに駆動電流Ｉｒが供給され、光源１３ｒは赤色光Ｒを発する。赤色ＡＮＤ回路４２２の出力がオフ（Ｌｏｗ）を示すときにオフ状態となり光源１３ｒは消灯状態となる。同様に、光源１３ｇに対応する緑色ＡＮＤ回路４２３がオン状態のときに、光源１３ｇは緑色光Ｇを発し、光源１３ｂに対応する青色ＡＮＤ回路４２４がオン状態のときに、光源１３ｂは青色光Ｂを発する。
【００３１】
このように構成される駆動信号生成部４００により、図４（ｆ）または図５（ｆ）に示すように、光源１３ｒ，１３ｇ，１３ｂの各々には、各イネーブル信号ＥＮが定める発光タイミングに従って駆動電流が供給されることになる。これにより、所定の期間（イネーブル信号がオンを示す期間）毎に、異なる色の光源１３ｒ，１３ｇ，１３ｂが順次点灯する（フィールドシーケンシャルカラー方式）。なお、図４（ｆ）および図５（ｆ）に記したＩｒは光源１３ｒに流れる駆動電流を示し、Ｉｇは光源１３ｇに流れる駆動電流を示し、Ｉｂは光源１３ｂに流れる駆動電流を示す。
【００３２】
光強度検出部５００は、光源１３が出射した色光Ｃを受光し、光Ｒ、Ｇ、Ｂそれぞれの光強度を時分割で検出する。光強度検出部５００は、検出した発光強度を示す光強度検出信号ＳＦＢを出力する。
【００３３】
本実施形態の光源駆動部１４は、光強度検出部５００で検出した光源１３の発光強度を示す光強度検出信号ＳＦＢを生成し、駆動信号生成部４００が、光強度検出信号ＳＦＢから駆動信号ＳＤ（赤色駆動信号ＳＤＲ，緑色駆動信号ＳＤＧ，青色駆動信号ＳＤＢ）を生成し、この駆動信号ＳＤに基づいて再び各色の光源１３を駆動するＡＰＣ制御している。
【００３４】
また、本実施形態の光源駆動部１４は、画像表示部１０が画像表示を開始する前に光源１３の初回点灯を行う『予備駆動処理』を実行し、その後、光源１３に所望の光強度の色光Ｃを出射させる「ＡＰＣ処理」を実行する。
【００３５】
まず、図６、図７に示すフローチャートを主に参照して、光源駆動部１４が実行するＡＰＣ処理を説明する。
【００３６】
（ＡＰＣ処理）  まず、光源駆動部１４の第１の制御部１００は、ステップＳ１０において、車両ＥＣＵ４から車両の外部の明るさを示す外部照度信号（外部照度）ＳＬを入力する。
【００３７】
次に、第１の制御部１００は、ステップＳ２０において、入力した外部照度ＳＬに対応する基準値ＳＡをメモリから読み出す。例えば、第１の制御部１００は、メモリに記憶されたテーブルデータを参照して、取得した外部照度ＳＬに対応した基準値ＳＡを生成する。所定の外部照度ＳＬに対応した基準値ＳＡは、各色で別々に設けられ、ホワイトバランスを保つような値に設定される。
【００３８】
第１の制御部１００は、ステップＳ３０において、ステップＳ１０で入力した外部照度ＳＬと予めメモリに記憶された閾値Ｐとを比較する。  第１の制御部１００は、外部照度ＳＬが閾値Ｐ以上の場合（ステップＳ３０；ＹＥＳ）、ＨＵＤ装置１の周囲が明るいと判定し、禁止信号ＳＣ２のない制限信号ＳＣを設定する（ステップＳ４０ａ）。一方、第１の制御部１００は、外部照度ＳＬが閾値Ｐ未満の場合（ステップＳ３０；ＮＯ）、ＨＵＤ装置１の周囲が暗いと判定し、禁止信号ＳＣ２を有する制限信号ＳＣを設定する（ステップＳ４０ｂ）。
【００３９】
次に、ステップＳ５０でサブフレーム処理に移行し、１フレームを時分割したサブフレームＳＦ毎に、このサブフレーム処理を繰り返し、１フレームが終了してからサブフレーム処理を終了する。なお、このサブフレーム処理が終了してもＨＵＤ装置１が停止するまでは、ステップＳ１０に戻って、ＡＰＣ処理を繰り返す。
【００４０】
以下に図４，図５のタイミングチャートと図７のフローチャートを用いて、ＡＰＣ処理におけるサブフレーム処理Ｓ５０を説明する。なお、制限信号ＳＣが、禁止信号ＳＣ２のない制限信号ＳＣに設定された場合のサブフレーム処理Ｓ３０を第１サブフレーム処理と称し、一方、禁止信号ＳＣ２を有する制限信号ＳＣに設定された場合のサブフレーム処理Ｓ３０を第２サブフレーム処理と称して説明する。図４は、第１サブフレーム処理における各種信号と駆動電流を説明するためのタイミングチャートであり、図５は、第２サブフレーム処理における各種信号と駆動電流を説明するためのタイミングチャートである。
【００４１】
（第１サブフレーム処理）  第１サブフレーム処理では、光源駆動部１４の比較回路４１０は、光強度検出部５００から光源１３の発光強度を示す光強度検出信号ＳＦＢを入力し（ステップＳ５１）、光強度検出部５００からの光強度ＳＦＢと第１の制御部１００からの基準値ＳＡとを比較し、比較信号ＳＢを生成する（ステップＳ５２）。具体的には、比較回路４１０は、図４（ｂ），（ｃ）に示すように、光強度ＳＦＢが、基準値ＳＡを超えると、比較信号ＳＢをオフ（Ｌｏｗ）とする。このように比較信号ＳＢをオフとした場合、光源１３に流れる駆動電流が低下するため、これにより、光源１３の光強度ＳＦＢが下降し、基準値ＳＡを下回る。比較回路４１０は、光強度ＳＦＢが、基準値ＳＡを下回ったタイミングで、今度は比較信号ＳＢをオン（Ｈｉｇｈ）とする。この動作を繰り返すことで、比較回路４１０は、オンとオフとを繰り返すパルス状の比較信号ＳＢを生成する。
【００４２】
ステップＳ５３において、第２の制御部２００は、制限信号ＳＣを生成し、論理回路４２０の入力端子に出力する。第１サブフレーム処理において、第２の制御部２００は、ステップＳ４０ａで決定したように、常にオン（Ｈｉｇｈ）を示す許可信号ＳＣ１（禁止信号ＳＣ２のない制限信号ＳＣ）を出力する。
【００４３】
次に、ステップＳ５４において、論理回路４２０の第１ＡＮＤ回路４２１は、図４（ｃ），（ｄ），（ｅ）に示すように、第２の制御部２００からの制限信号ＳＣ（許可信号ＳＣ１）と、比較回路４１０からの比較信号ＳＢとを論理積して駆動信号ＳＤを生成し、各ＡＮＤ回路４２２，４２３，４２４に対して出力する。なお、第１サブフレーム処理においては、第１ＡＮＤ回路４２１は、比較信号ＳＢと常にオン（Ｈｉｇｈ）を示す許可信号ＳＣ１との論理積を、駆動信号ＳＤとして出力しているため、比較信号ＳＢと同等のパルス信号である駆動信号ＳＤを出力する。そして、各ＡＮＤ回路４２２，４２３，４２４は、第１ＡＮＤ回路４２１からの駆動信号ＳＤと、第２の制御部２００からのイネーブル信号ＥＮと、を論理積して各駆動信号ＳＤ（赤色駆動信号ＳＤＲ、または緑色駆動信号ＳＤＧ、または青色駆動信号ＳＤＢ）として、スイッチ手段４３０に出力する。
【００４４】
そして、スイッチ手段４３０は、駆動信号ＳＤに応じて、オンまたはオフ動作を行い、光源１３を駆動する（ステップＳ５５）。  光源駆動部１４は、１フレームが完了するまで、以上に説明した第１サブフレーム処理を繰り返す。
【００４５】
（第２サブフレーム処理）  一方、第２サブフレーム処理では、光源駆動部１４の比較回路４１０は、光強度検出部５００から光源１３の発光強度に関連する値である光強度検出信号ＳＦＢを入力し（ステップＳ５１）、光強度検出部５００からの光強度ＳＦＢと第１の制御部１００からの基準値ＳＡとを比較し、比較信号ＳＢを生成する（ステップＳ５２）。具体的には、比較回路４１０は、図５（ｂ），（ｃ）に示すように、光強度ＳＦＢが、基準値ＳＡを超えると、比較信号ＳＢをオフ（Ｌｏｗ）とする。
【００４６】
ステップＳ５３において、第２の制御部２００は、制限信号ＳＣを生成し、論理回路４２０の入力端子に出力する。第２サブフレーム処理において、第２の制御部２００は、オン（Ｈｉｇｈ）を示す許可信号ＳＣ１と、オフ（Ｌｏｗ）示す禁止信号ＳＣ２と、から構成される制限信号ＳＣを出力する。
【００４７】
次に、ステップＳ５４において、論理回路４２０の第１ＡＮＤ回路４２１は、図５（ｃ），（ｄ），（ｅ）に示すように、第２の制御部２００からの制限信号ＳＣ（許可信号ＳＣ１および禁止信号ＳＣ２）と、比較回路４１０からの比較信号ＳＢとを論理積して駆動信号ＳＤ生成し、各ＡＮＤ回路４２２，４２３，４２４に対して出力する。  なお、第２サブフレーム処理においては、第１ＡＮＤ回路４２１は、比較信号ＳＢと、オンとオフとからなる制限信号ＳＣとの論理積を駆動信号ＳＤとして出力する。したがって、第１ＡＮＤ回路４２１は、制限信号ＳＣがオンである場合、比較信号ＳＢと同等のパルス信号である駆動信号ＳＤ（点灯信号ＳＤ１）を出力し、制限信号ＳＣがオフである場合、比較信号ＳＢに基づかない駆動信号ＳＤ（非点灯信号ＳＤ２）を、各ＡＮＤ回路４２２，４２３，４２４に出力する。そして、各ＡＮＤ回路４２２，４２３，４２４は、第１ＡＮＤ回路４２１からの駆動信号ＳＤと、第２の制御部２００からのイネーブル信号ＥＮと、を論理積して各駆動信号ＳＤ（赤色駆動信号ＳＤＲ、または緑色駆動信号ＳＤＧ、または青色駆動信号ＳＤＢ）として、スイッチ手段４３０に出力する。
【００４８】
なお、第２サブフレーム処理において、制限信号ＳＣは、サブフレームＳＦに占める割合Ｑ（図５（ｄ）における割合Ｑ）の間だけ、制限信号ＳＣをオン（許可信号ＳＣ１）とし、それ以外では、制限信号ＳＣをオフ（禁止信号ＳＣ２）とする。  第２の制御部２００は、比較回路４１０からのパルス信号である比較信号ＳＢのうち、各サブフレームＳＦ（ＳＦ１・・・）の始めに入力された比較信号ＳＢのリーディングエッジ（パルス信号の立ち上がり）を契機に、予め定められたサブフレームＳＦに占める割合Ｑの期間だけ論理回路４２０に対して点灯信号ＳＤ１を出力する。論理回路４２０は、このサブフレームＳＦに占める割合Ｑの期間だけ比較信号ＳＢに基づくパルス信号である駆動信号ＳＤ（点灯信号ＳＤ１）を、各スイッチ手段４３０に対して出力し、それ以外のサブフレームＳＦの期間では、スイッチ手段４３０をオフさせる駆動信号ＳＤ（非点灯信号ＳＤ２）を、各スイッチ手段４３０に対して出力する。
【００４９】
そして、スイッチ手段４３０は、駆動信号ＳＤに応じて、オンまたはオフの動作を行い、光源１３を駆動する（ステップＳ５５）。光源駆動部１４は、１フレームが完了するまで、以上の第１サブフレーム処理を繰り返す。
【００５０】
（予備駆動処理）  図８は、予備駆動処理を説明するタイミングチャートである。図８（ｇ）に示すＨＵＤ装置１（画像表示部１０、光源部１１）の
電源がオンされると、第１の制御部１００は、自動的にスイッチ手段４３０をオンさせる程度に高い初期基準信号ＳＡ０をメモリから読み出し、予め定められた期間Ｔ１の間、スイッチ手段４３０を強制的にオンする。
【００５１】
第１の制御部１００は、画像表示部１０の電源投入（図８（ｇ）の時間ｔ０）を検出すると、初期基準値ＳＡ０をメモリから読み出し、比較回路４１０の一方の入力端子に出力する。
【００５２】
比較回路４１０は、光源１３の色光Ｃの光強度検出信号ＳＦＢと、予めメモリに記憶された初期基準信号（以下、初期基準値とも記す）ＳＡ０とを比較し、オン／オフからなるパルス状の比較信号ＳＢを生成する。初期基準値ＳＡ０が上述した通り高いレベルであるため、光強度ＳＦＢは、図８（ｂ）に示されるように、期間Ｔ１の間、常に初期基準信号ＳＡ０を下回る。そのため、比較回路４１０は、図８（ｃ）に示されるように、前記予備駆動処理を実行する期間Ｔ１の間、常にオン（Ｈｉｇｈ）となる比較信号ＳＢを出力する。
【００５３】
なお、第２の制御部２００は、図８（ａ）に示すように、前記予備駆動処理を実行する期間Ｔ１の間、全てのスイッチ手段４３０（赤色スイッチ手段４３１，緑色スイッチ手段４３２，青色スイッチ手段４３３）をオンさせるように、全ての色光Ｃに関わるイネーブル信号ＥＮ（赤色イネーブル信号Ｒ−ＥＮ，緑色イネーブル信号Ｇ−ＥＮ，青色イネーブル信号Ｂ−ＥＮ）をオン（Ｈｉｇｈ）にする。そして、第２の制御部２００は、予め定められた期間Ｔ１の間、全ての色光Ｃに関わるイネーブル信号ＥＮをオン（Ｈｉｇｈ）にした後、予め定められた期間Ｔ２の間、全ての色光Ｃに関わるイネーブル信号ＥＮをオフ（Ｌｏｗ）にする。
【００５４】
また、第２の制御部２００は、前記予備駆動処理を実行する期間Ｔ１において、常にオン（Ｈｉｇｈ）を示す制限信号ＳＣ（許可信号ＳＣ１）を生成し、論理回路４２０の入力端子に出力する。
【００５５】
論理回路４２０の第１ＡＮＤ回路４２１は、前記予備駆動処理の期間Ｔ１において、図８（ｃ）に示す比較信号ＳＢと、図８（ｄ）に示す制限信号ＳＣ（許可信号ＳＣ１）と、を論理積して、図８（ｅ）に示す駆動信号ＳＤ生成し、各ＡＮＤ回路４２２，４２３，４２４に対して出力する。
【００５６】
各ＡＮＤ回路４２２，４２３，４２４は、図８（ａ）に示す第２の制御部２００からのイネーブル信号ＥＮと、図８（ｅ）に示す第１ＡＮＤ回路４２１からの駆動信号ＳＤと、を論理積して、前記予備駆動処理の期間Ｔ１において、常にオン（Ｈｉｇｈ）となる赤色駆動信号ＳＤＲ，緑色駆動信号ＳＤＧ，青色駆動信号ＳＤＢをスイッチ手段４３０に出力する。
【００５７】
そして、スイッチ手段４３０は、各駆動信号ＳＤに応じて、前記予備駆動処理の期間Ｔ１の間、オン動作を行い、光源１３ｒ，１３ｇ，１３ｂを点灯させる（初期点灯）。
【００５８】
この予備駆動処理の後、光源駆動部１４は、光源部１１に所望の光強度の光を出射させる上述した「ＡＰＣ処理」を実行し、画像表示部１２が画像表示を開始する。
【００５９】
本実施形態の光源駆動部１４は、以上に説明したように、画像表示部１０が画像表示を開始する前に光源１３の初回点灯を行うため、光源１３の寄生容量に基づく蓄電荷による光が画像表示に反映されない。すなわち、本実施形態の光源駆動部１４を適用した光源装置１１、表示装置１０は、後述するＡＰＣ処理を行いつつ、起動直後の表示のちらつきを抑制することができる。
【００６０】
以上に説明したように、本実施形態における光源装置１１は、異なる色光Ｒ，Ｇ，Ｂをそれぞれ出射する複数の光源１３（１３ｒ，１３ｇ，１３ｂ）と、複数の光源１３毎に設けられ、光源１３に供給する電力をオンまたはオフするスイッチ手段４３０（４３１，４３２，４３３）と、光源１３が発した色光Ｒ，Ｇ，Ｂの光強度ＳＦＢを取得する光強度検出部５００と、外部照度ＳＬを示す情報を取得し、外部照度ＳＬに基づいて基準値ＳＡを設定する第１の制御部１００と、を含み、光強度ＳＦＢが基準値ＳＡに近づくようにスイッチ手段４３０を自動的にオンまたはオフさせる光源駆動部１４と、を備え、第１の制御部１００は、始動時に、光源駆動部１４がスイッチ手段４３０を自動的にオンさせる程度に高い初期基準値ＳＡ０に基準値ＳＡを設定することで、スイッチ手段４３０を強制的にオンさせた後、光源駆動部１４は、光強度ＳＦＢが基準値ＳＡに近づくようにスイッチ手段４３０を自動的にオンまたはオフさせる。このように、光源駆動部１４は、始動時に、光源１３を強制的に点灯させ、光源１３の寄生容量の蓄電荷を放電する。この後、光源駆動部１４は、外部照度ＳＬに基づいて設定された基準値ＳＡを基準として光源１３の出力を自動的に制御することで、光源１３の寄生容量に起因した過電流の影響を受けず、所望の光強度の光を光源１３に出射させることができる。
【００６１】
また、光源駆動部１４は、始動時に、スイッチ手段４３０を強制的にオン（図８の時間ｔ１〜ｔ２）させた後、スイッチ手段４３０を強制的にオフ（図８の時間ｔ２〜ｔ３）させ、その後、光強度ＳＦＢが基準値ＳＡに近づくようにスイッチ手段４３０を自動的にオンまたはオフ（図８の時間ｔ３以降）させる。このように、スイッチ手段４３０を強制的にオンさせてから、スイッチ手段４３０を光強度ＳＦＢに基づき自動的にオンまたはオンさせるまでの間に、スイッチ手段４３０をオフさせることで、表示に関わる前記ＡＰＣ処理における光源１３の光に、前記予備駆動の光が影響することを防止することができる。
【００６２】
なお、光源駆動部１４は、スイッチ手段４３０を強制的にオフさせる期間（図８の時間ｔ２〜ｔ３の期間Ｔ２）を、スイッチ手段４３０を強制的にオンさせる期間（図８の時間ｔ１〜ｔ２の期間Ｔ１）以上に長く設けることで、表示に関わる前記ＡＰＣ処理における光源１３の光に、前記予備駆動の光が影響することをより確実に防止することができる。
【００６３】
なお、上記実施形態では、第１の制御部１００が、自動的にスイッチ手段４３０をオンさせる程度に高い初期基準値ＳＡ０に基準値ＳＡを設定することで、スイッチ手段４３０を強制的にオンさせる。  ここでいう自動的にスイッチ手段４３０をオンさせる程度に高い初期基準値ＳＡ０とは、前記予備駆動で点灯した光源１３の光強度ＳＦＢが上回らない程に高いレベルであり、具体的に例えば、全ての光源１３ｒ，１３ｇ，１３ｂが点灯した際に想定される光強度ＳＦＢの１．１倍以上に設定される。なお、この初期基準値ＳＡ０は、所定の条件に応じて調整されてもよい。例えば、初期基準値ＳＡ０は、給電手段３００が光源１３に印加する電圧の大きさによって調整される。これにより、初期基準値ＳＡ０は、給電手段３００の電圧が変化し、光源１３が出力する光の光強度が大きく変化した場合でも、確実に予備駆動で点灯する光源１３の光強度ＳＦＢが到達しない程に高いレベルを維持することができる。また、初期基準値ＳＡ０は、光源１３の温度や外部照度ＳＬなどによって調整されてもよい。
【００６４】
また、上記実施形態では、スイッチ手段４３０を強制的にオンさせた後、自動的にスイッチ手段４３０をオフさせる程度に低い低基準値ＳＡＬに基準値ＳＡを設定することで、スイッチ手段４３０を強制的にオフさせる。  ここでいう自動的にスイッチ手段４３０をオフさせる程度に低い低基準値ＳＡＬとは、予備駆動した後の光源１３の光強度ＳＦＢが下回らない程に低いレベルであり、具体的に例えば、ゼロレベルに設定される。このように、比較回路４１０の基準となる基準信号ＳＡをゼロレベルに設定しておくことで、光強度ＳＦＢが確実に基準信号ＳＡ（低基準値ＳＡＬ）を下回るため、比較回路４１０の比較結果に基づき、確実にスイッチ手段４３０をオフさせることができる。なお、この低基準値ＳＡＬは、上述した初期基準値ＳＡ０のように所定の条件に応じて調整されてもよい。
【００６５】
なお、スイッチ手段４３０に入力される赤色駆動信号ＳＤＲ、緑色駆動信号ＳＤＧ、青色駆動信号ＳＤＢは、論理回路４２０の論理積により生成されるため、上述したように基準信号ＳＡを低基準信号ＳＡＬに設定する以外に、イネーブル信号ＥＮや制限信号ＳＣを調整することにより、スイッチ手段４３０を強制的にオフさせることができる。
【００６６】
また、本実施形態の光源駆動部１４は、始動時に、全てのスイッチ手段４３０を強制的にオンさせる。斯かる構成により、複数の光源１３ｒ，１３ｇ，１３ｂで、比較回路４１０を共通化した構成であっても、制御を複雑化せずに、全ての光源１３ｒ，１３ｇ，１３ｂの寄生容量の蓄電荷が放電することができる。なお、光源駆動部１４は、始動時に、２以上のスイッチ手段４３０を強制的にオンさせる構成であってもよい。
【００６７】
また、本実施形態の表示装置１０は、画像表示部１２は、始動時に、強制的に点灯させた光源１３の光を視認者２に向けないように光変調する。具体的には、画像表示部１２が反射型表示素子である場合、光源１３からの光を視認者が視認可能なスクリーンの領域とは異なる方向に反射させる。
【００６８】
なお、本発明は、以上の実施形態および図面によって限定されるものではない。本発明の要旨を変更しない範囲で、適宜、実施形態および図面に変更（構成要素の削除も含む）を加えることが可能である。以下に変形の一例を示す。
【００６９】
（変形例）  上記実施形態では、第１の制御部１００が、始動時に、自動的にスイッチ手段４３０を自動的にオンさせる程度に高い初期基準値ＳＡ０に基準値ＳＡを設定することで、スイッチ手段４３０を強制的にオンさせる比較信号ＳＢを比較回路４１０で生成し、スイッチ手段４３０側の論理回路４２０に出力していたが、これに限定されない。例えば、第１の制御部１００は、比較回路４１０を介さずに、スイッチ手段４３０を強制的にオンまたはオフできるように構成されてもよい。具体的には、第１の制御部１００は、スイッチ手段４３０を強制的にオンまたはオフさせるための強制駆動信号ＳＥを生成し、比較回路４１０からの比較信号ＳＢと論理和される、図９に示すＯＲ回路４２５に出力してもよい。
【００７０】
なお、前記予備駆動処理において、ＨＵＤ装置１の電源がオンされた後の第１の制御部１００の起動の方が、第２の制御部２００の起動よりも早い場合、第１の制御部１００は、第２の制御部２００が行う処理を代わりに実行してもよい。例えば、通常、第２の制御部２００（第１の色選択手段）から論理回路４２０に入力されるイネーブル信号ＥＮを、ＨＵＤ装置１の起動時には、第１の制御部１００（第１の色選択手段）が代わりに出力してもよい。この場合、第１の制御部１００は、第２の制御部２００からの各イネーブル信号ＥＮと論理和される、図１０に示すＯＲ回路４２６，４２７，４２８に第２の制御部２００の代わりのイネーブル信号ＥＮを出力する。これにより、光源部１１の始動時に、第１の制御部（第２の色選択手段）１００により選択された色光Ｒ，Ｇ，Ｂを駆動するスイッチ手段４３０を強制的にオンさせた後、第２の制御部２００（第１の色選択手段）により選択された色光Ｒ，Ｇ，Ｂを駆動するスイッチ手段４３０を、光強度ＳＦＢと基準値ＳＡとに基づき自動的にオンまたはオフさせることが可能となる。斯かる構成により、第２の制御部２００の始動を待たずに光源１３を予備駆動させることができる。
【００７１】
また、本発明におけるＨＵＤ装置１は、ＨＵＤ装置１の外部から内部に侵入する太陽光などの外光が、図１１に示されるように、画像表示部１０に到達することを防止する外光回避手段１４を設けてもよい。この外光回避手段１４は、例えば、ＨＵＤ装置１の投射部２０を駆動（回転または／および移動）させるアクチュエータで構成され、第１の制御部１００の制御のもと、投射部２０を駆動させることで、外光が画像表示部１０に到達することを防止することができる。外光回避手段１４は、画像表示部１０からの表示光Ｎを透過反射部３に向ける開放状態と、画像表示部１０からの表示光Ｎを透過反射部３に向けず、かつ前記開放状態と比較して前記外光が画像表示部１０に向かいにくい外光回避
状態と、の少なくとも２つの状態に変えることができる。外光回避手段１４は、ＨＵＤ装置１（表示装置１０、光源装置１１）が起動を開始する際、前記外光回避状態から前記開放状態へと遷移し、ＨＵＤ装置１（表示装置１０、光源装置１１）が停止する際、前記開放状態から前記外光回避状態へと遷移する。  本発明における光源部１１は、ＨＵＤ装置１が起動し、外光回避手段１４が、前記外光回避状態から前記開放状態に遷移した後、前記予備駆動処理を実行する。このように、外光回避手段１４が表示光Ｎを透過反射部３に向ける前記開放状態になった後、表示装置１０（光源部１１）が前記予備駆動処理を実行し、画像Ｍを生成することで、光源１２に電荷が蓄積される前に、画像Ｍを生成することができる。
【００７２】
また、光源部１１から画像表示部１２に向かう色光Ｃの光路上には、色光Ｃを収束、発散、光強度調整、光強度分布調整などを行う屈折光学系、反射光学系、回折光学系などが設けられていてもよい。
【００７３】
また、スイッチ手段４３０は、比較回路４１０と論理回路４２０とを有するＬＳＩの外部に設けられてもよい。このように、スイッチ手段４３０を比較回路４１０と論理回路４２０を有するＬＳＩから独立させることで、スイッチ手段４３０から発生する熱が、比較回路４１０と論理回路４２０に伝達することを抑制し、延いては、比較回路４１０，論理回路４２０の動作不良や故障を抑制することができる。
【００７４】
また、上記実施形態において、各色の光源１３ｒ，１３ｇ，１３ｂを１灯としたが、各色の光源１３ｒ，１３ｇ，１３ｂを、赤色スイッチ手段４３１，緑色スイッチ手段４３２，青色スイッチ手段４３３に複数個パラレルまたはシリーズに配列してもよい。また、各色の光源１３ｒ，１３ｇ，１３ｂを複数個設け、これらを駆動する赤色スイッチ手段４３１，緑色スイッチ手段４３２，青色スイッチ手段４３３も複数個設けてもよい。
【００７５】
また、上記実施形態において、給電手段３００は、第１の制御部１００の制御のもと、印加する電圧を制御していたが、これに限られず、一定の電圧を光源１３に印加する定電圧回路であってもよい。
【００７６】
なお、上記実施形態において、第１の制御部１００は、車両ＥＣＵ４から外部照度を示す外部照度信号ＳＬを入力していたが、これに限られず、ＨＵＤ装置１に外部照度を取得する照度センサを備え、このＨＵＤ装置１に設けた照度センサからの信号を光源１３の調光を行うための外部照度信号ＳＬとして使用してもよい。また、第１の制御部１００は、ＨＵＤ装置１や車両に設けられた図示しない操作部を視認者２が操作することで、基準値ＳＡを調整してもよい。また、車両のライトをオン・オフするスイッチの操作に応じて、基準値ＳＡを調整してもよい。
【符号の説明】
【００７７】
１    ＨＵＤ装置
２    視認者
３    透過反射部
４    車両ＥＣＵ
１０    画像表示部（表示装置）
１１    光源部（光源装置）
１２    画像表示部
１３    光源
１４    光源駆動部
２０    投射部
１００    第１の制御部（基準値設定手段、第２の色選択手段）
２００    第２の制御部（第１の色選択手段）
３００    給電手段
４００    駆動信号生成部
４１０    比較回路
４２０    論理回路
４３０    スイッチ手段
５００    光強度検出部（光強度取得手段）
ＳＡ    基準信号（基準値）
ＳＡ０  初期基準信号（初期基準値）
ＳＡＬ  低基準信号（低基準値）
ＳＢ    比較信号
ＳＣ    制限信号
ＳＣ１  許可信号
ＳＣ２  禁止信号
ＳＤ    駆動信号
ＳＤ１  点灯信号
ＳＤ２  非点灯信号
ＳＦＢ  光強度検出信号（光強度）
ＳＬ    外部照度信号（外部照度）
ＥＮ    イネーブル信号
【図１】
2017111165.tif 000003
【図２】
2017111165.tif 000004
【図３】
2017111165.tif 000005
【図４】
2017111165.tif 000006
【図５】
2017111165.tif 000007
【図６】
2017111165.tif 000008
【図７】
2017111165.tif 000009
【図８】
2017111165.tif 000010
【図９】
2017111165.tif 000011
【図１０】
2017111165.tif 000012
【図１１】
2017111165.tif 000013
【図１２】
2017111165.tif 000014